(57)【要約】【課題】本発明は、従来の問題点を解決するためのもので、本発明の目的は、複数の入力ソースからのビデオ信号をディスプレイするための方法及び装置を提供することにある。【解決手段】複数個の入力ソースからディスプレイ装置によって受信されたビデオ信号をディスプレイ装置のディスプレイスクリーンにディスプレイするための装置及び方法が開示される。前記方法は、ディスプレイ装置の第１の入力ソースから入力されたメディアがローディング処理中であるか否かを判断するステップと、メディアがローディング処理中である場合、ディスプレイ装置の第１の入力ソースから出力されたビデオ信号をディスプレイスクリーン上のサブウィンドウにディスプレイするステップと、メディアがローディング処理中である場合、ディスプレイ装置の第２の入力ソースから出力されたビデオ信号をディスプレイスクリーン上のメインウィンドウにディスプレイするステップとを含む。【選択図】図１
2011071984.tif 000002
【特許請求の範囲】
【請求項１】
複数個の入力ソースからのディスプレイ装置によって受信されたビデオ信号を、前記ディスプレイ装置のディスプレイスクリーンにディスプレイするための方法において、
前記ディスプレイ装置の第１の入力ソースから入力されたメディアがローディング処理中であるか否かを判断するステップと、
前記メディアがローディング処理中である場合、前記ディスプレイ装置の第１の入力ソースから出力されたビデオ信号を前記ディスプレイスクリーン上のサブウィンドウにディスプレイするステップと、
前記メディアがローディング処理中である場合、前記ディスプレイ装置の第２の入力ソースから出力されたビデオ信号を前記ディスプレイスクリーン上のメインウィンドウにディスプレイするステップと、
を含むことを特徴とするビデオ信号のディスプレイ方法。
【請求項２】
前記第１の入力ソースから入力されたメディアのローディング処理が完了したか否かを判断するステップと、
前記第１の入力ソースから入力されたメディアのローディング処理が完了した場合、前記ディスプレイ装置の第１の入力ソースから出力されたビデオ信号を前記メインウィンドウにディスプレイするステップと、
を更に含むことを特徴とする請求項１に記載のビデオ信号のディスプレイ方法。
【請求項３】
前記第１の入力ソースから入力されたメディアのローディング処理が完了した場合、前記ディスプレイスクリーン上のサブウィンドウをディスプレイすることを中止するステップを更に含むことを特徴とする請求項２に記載のビデオ信号のディスプレイ方法。
【請求項４】
ユーザが前記ディスプレイスクリーンにディスプレイされた前記サブウィンドウを選択するか否かを判断するステップと、
前記ユーザが前記ディスプレイスクリーンにディスプレイされた前記サブウィンドウを選択した場合、前記サブウィンドウを閉じ、前記第１の入力ソースから出力されたビデオ信号を前記ディスプレイスクリーン上のメインウィンドウにディスプレイするステップと、
を更に含むことを特徴とする請求項１に記載のビデオ信号のディスプレイ方法。
【請求項５】
前記ディスプレイ装置の第１の入力ソースから入力されたメディアがローディング処理中であるか否かを判断するステップは、前記第１の入力ソースと前記ディスプレイ装置との間のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続をモニターするステップ含むことを特徴とする請求項１に記載のビデオ信号のディスプレイ方法。
【請求項６】
前記ディスプレイスクリーン上のサブウィンドウにディスプレイするステップは、前記第１の入力ソースから出力されたビデオ信号をダウンスケーリングするステップを含むことを特徴とする請求項１に記載のビデオ信号のディスプレイ方法。
【請求項７】
前記ダウンスケーリングされたビデオ信号をバッファリングするステップを更に含み、ここで前記ディスプレイスクリーン上のサブウィンドウにディスプレイするステップは、前記バッファリングされたビデオ信号を前記ディスプレイ装置に転送し、前記ディスプレイ装置によって受信された前記バッファリングされたビデオ信号を前記ディスプレイスクリーン上のサブウィンドウにディスプレイするステップを含むことを特徴とする請求項６に記載のビデオ信号のディスプレイ方法。
【請求項８】
前記バッファリングされたビデオ信号を前記ディスプレイ装置に転送するステップは、前記バッファリングされたビデオ信号を、ＨＤＭＩ接続を介して前記ディスプレイ装置に転送するステップを含むことを特徴とする請求項７に記載のビデオ信号のディスプレイ方法。
【請求項９】
前記ＨＤＭＩ接続は、イーサネット（登録商標）（Ｅｔｈｅｒｎｅｔ（登録商標））チャネルを含むことを特徴とする請求項８に記載のビデオ信号のディスプレイ方法。
【請求項１０】
前記ディスプレイスクリーン上に少なくとも一つの別のサブウィンドウをディスプレイするステップを更に含み、ここで前記少なくとも一つの別のサブウィンドウの各々は、前記第２の入力ソース及び別のソースのうちの一つから出力されたビデオ信号をディスプレイし、ここで前記第２の入力ソース及び前記別のソースのうちの一つから出力された前記ビデオ信号はダウンスケーリングされることを特徴とする請求項６に記載のビデオ信号のディスプレイ方法。
【請求項１１】
前記第１の入力ソースは、ブルーレイディスク（Ｂｌｕｅ−ｒａｙ  Ｄｉｓｃ）再生装置及びＤＶＤ（Ｄｉｇｉｔａｌ  Ｖｅｒｓａｔｉｌｅ  Ｄｉｓｃ）再生装置のうちの一つであることを特徴とする請求項１に記載のビデオ信号のディスプレイ方法。
【請求項１２】
メディアのローディング処置の間、ダウンスケーリングされたビデオ信号を入力ソースからディスプレイ装置に転送するためのメディア再生装置において、
前記メディアを収容し、前記メディアのローディング処理を行い、そして前記メディアの再生に対応するビデオ信号を出力するように動作するメディア再生部と、
前記メディア再生部から出力された前記ビデオ信号をダウンスケーリングし、ダウンスケーリングされたビデオ信号を出力するように動作するダウンスケーラーと、
前記ダウンスケーラーから受信されたダウンスケーリングされたビデオ信号をバッファリングするように動作するメモリーと、
前記バッファリングされたビデオ信号を前記メモリーから前記ディスプレイ装置に転送するように動作する通信モジュールと、
制御部として前記メディア再生部が前記メディアのローディング処理を行うか否かを判断し、前記メディア再生部が前記メディアのローディング処理を行う場合、前記メディア再生部から出力されたビデオ信号をダウンスケーリングし、前記ダウンスケーリングされたビデオ信号を出力するように前記ダウンスケーラーを制御し、前記ダウンスケーラーから受信された前記ダウンスケーリングされたビデオ信号をバッファリングするように前記メモリーを制御し、前記バッファリングされたビデオ信号を前記メモリーから前記ディスプレイ装置に転送するように前記通信モジュールを制御する制御部と、
を含むことを特徴とするメディア再生装置。
【請求項１３】
前記制御部は、前記メディアのローディング処理が完了したか否かを更に判断し、前記メディアのローディング処理が完了した場合、前記バッファリングされたビデオ信号を前記メモリーから前記ディスプレイ装置に転送することを中止するように、前記通信モジュールを制御することを特徴とする請求項１２に記載のメディア再生装置。
【請求項１４】
前記制御部は、前記メディア再生装置と前記ディスプレイ装置との間のＨＤＭＩ接続をモニターすることで、前記メディア再生部が前記メディアのローディング処理を行うか否かを判断することを特徴とする請求項１２に記載のメディア再生装置。
【請求項１５】
前記バッファリングされたビデオ信号を前記ディスプレイ装置に転送することは、前記バッファリングされたビデオ信号を、ＨＤＭＩ接続を介して前記ディスプレイ装置に転送することを含むことを特徴とする請求項１２に記載のメディア再生装置。
【発明の詳細な説明】
【技術分野】
【０００１】
本発明は、複数の入力ソースからのビデオ信号をディスプレイするための方法及び装置に関する。
【背景技術】
【０００２】
ユーザがメディア再生装置でＤＶＤ（Ｄｉｇｉｔａｌ  Ｖｅｒｓａｔｉｌｅ  Ｄｉｓｃ）又はＢＤ（Ｂｌｕｅ−ｒａｙ  Ｄｉｓｃ）のようなメディアを再生しようとする際に、メディアはメインビデオの再生が行われる以前に、ローディング処理を先ずしなければならない。結果的に、ユーザは自分のビデオディスプレイ装置でメインビデオを視聴できるようになる以前に、ローディング処理が完了するまで、待機しなければならないという不都合が生じかねない。
【０００３】
似たような場合で、ユーザがメディア再生装置から出力されたビデオ信号をディスプレイしようとするが、メディア再生装置から出力されたビデオ信号をディスプレイすることが、別のソースからのビデオ信号を同時にディスプレイすることに関連し、ユーザにとって副次的な重要性を持つ場合もあるため、ディスプレイ装置のリソースを独占せずにディスプレイしようとする別の場合があり得る。このような場合に、別の入力ソースからのビデオ信号を同時にディスプレイしつつ、メディア再生装置から出力されたＨＤビデオ信号をディスプレイする必要を無くすことで、ビデオディスプレイ装置のリソースに対する使用を最小限化することが望ましい。
【先行技術文献】
【特許文献】
【０００４】
【特許文献１】韓国特開２００６−００６６２３７号公報
【特許文献２】韓国特開２００７−０００６１６２号公報
【特許文献３】韓国特開２００８−００６４０３８号公報
【特許文献４】日本国特開２００９−１１８２０８号公報
【発明の概要】
【発明が解決しようとする課題】
【０００５】
本発明は、上記問題を解決するためのものとして、本発明の目的とするところは、複数の入力ソースからのビデオ信号をディスプレイするための方法及び装置を提供することにある。
【課題を解決するための手段】
【０００６】
前記目的を達成するための本発明の一実施例に係る、複数個の入力ソースから、ディスプレイ装置によって受信されたビデオ信号を、前記ディスプレイ装置のディスプレイスクリーンにディスプレイするための方法は、前記ディスプレイ装置の第１の入力ソースから入力されたメディアがローディング処理中であるか否かを判断するステップと、前記メディアがローディング処理中である場合、前記ディスプレイ装置の第１の入力ソースから出力されたビデオ信号を、前記ディスプレイスクリーン上のサブウィンドウにディスプレイするステップと、前記メディアがローディング処理中である場合、前記ディスプレイ装置の第２の入力ソースから出力されたビデオ信号を前記ディスプレイスクリーン上のメインウィンドウにディスプレイするステップと、を含む。
【０００７】
前記方法は、前記第１の入力ソースから入力されたメディアのローディング処理が完了したか否かを判断するステップと、前記第１の入力ソースから入力されたメディアのローディング処理が完了した場合、前記ディスプレイ装置の第１の入力ソースから出力されたビデオ信号を前記メインウィンドウにディスプレイするステップと、を更に含むことができる。
【０００８】
前記方法は、前記第１の入力ソースから入力されたメディアのローディング処理が完了した場合、前記ディスプレイスクリーン上のサブウィンドウをディスプレイすることを終了するステップを更に含むことができる。
【０００９】
前記方法は、ユーザが前記ディスプレイスクリーンにディスプレイされた前記サブウィンドウを選択するか否かを判断するステップと、前記ユーザが前記ディスプレイスクリーンにディスプレイされた前記サブウィンドウを選択する場合、前記サブウィンドウを閉じ、前記第１の入力ソースから出力されたビデオ信号を、前記ディスプレイスクリーン上のメインウィンドウにディスプレイするステップと、を更に含むことができる。
【００１０】
前記ディスプレイ装置の第１の入力ソースから入力されたメディアが、ローディング処理中であるか否かを判断するステップは、前記第１の入力ソースと前記ディスプレイ装置との間のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続をモニターするステップ含むことができる。
【００１１】
前記ディスプレイスクリーン上のサブウィンドウにディスプレイするステップは、前記第１の入力ソースから出力されたビデオ信号をダウンスケーリングするステップを含むことができる。
【００１２】
前記方法は、前記ダウンスケーリングされたビデオ信号をバッファリングするステップを更に含み、ここで前記ディスプレイスクリーン上のサブウィンドウにディスプレイするステップは、前記バッファリングされたビデオ信号を前記ディスプレイ装置に転送し、前記ディスプレイ装置によって受信された前記バッファリングされたビデオ信号を前記ディスプレイスクリーン上のサブウィンドウにディスプレイするステップを含むことができる。
【００１３】
前記バッファリングされたビデオ信号を前記ディスプレイ装置に転送するステップは、前記バッファリングされたビデオ信号を、ＨＤＭＩ接続を介して前記ディスプレイ装置に転送するステップを含むことができる。
【００１４】
前記ＨＤＭＩ接続は、イーサネット（登録商標）（Ｅｔｈｅｒｎｅｔ（登録商標））チャネルを含むことができる。
【００１５】
前記方法は、前記ディスプレイスクリーン上に少なくとも一つの別のサブウィンドウをディスプレイするステップを更に含み、ここで前記少なくとも一つの別のサブウィンドウの各々は、前記第２の入力ソース及び別のソースのうちの一つから出力されたビデオ信号をディスプレイし、ここで前記第２の入力ソース及び前記別のソースのうちの一つから出力された前記ビデオ信号はダウンスケーリングされることができる。
【００１６】
前記第１の入力ソースは、ブルーレイディスク（Ｂｌｕｅ−ｒａｙ  Ｄｉｓｃ）再生装置及びＤＶＤ（Ｄｉｇｉｔａｌ  Ｖｅｒｓａｔｉｌｅ  Ｄｉｓｃ）再生装置のうちの一つでも良い。
【００１７】
一方、本発明の一実施例に係る、ディスプレイ装置のディスプレイスクリーンにビデオ信号をディスプレイする方法として、前記ディスプレイ装置はＨＤＭＩ接続を介して代替入力ソースと接続され、前記ＨＤＭＩ接続はイーサネット（登録商標）チャネルを含むビデオ信号をディスプレイする方法は、前記代替入力ソースからの前記ビデオ信号をダウンスケーリングするステップと、前記ダウンスケーリングされたビデオ信号を、前記ＨＤＭＩ接続のイーサネット（登録商標）チャネルを介して前記ディスプレイ装置に転送するステップと、前記ディスプレイ装置のメイン入力ソースから出力されたビデオ信号を、前記ディスプレイスクリーン上のメインウィンドウにディスプレイするステップと、前記代替入力ソースから受信された前記ダウンスケーリングされたビデオ信号を前記ディスプレイスクリーン上のサブウィンドウにディスプレイするステップと、を含む。
【００１８】
一方、本発明の一実施例に係る、メディアのローディング処置の間、ダウンスケーリングされたビデオ信号を入力ソースからディスプレイ装置に転送するためのメディア再生装置は、前記メディアを収容し、前記メディアのローディング処理を行い、そして前記メディアの再生に対応するビデオ信号を出力するように動作するメディア再生部と、前記メディア再生部から出力された前記ビデオ信号をダウンスケーリングし、ダウンスケーリングされたビデオ信号を出力するように動作するダウンスケーラーと、前記ダウンスケーラーから受信された、ダウンスケーリングされたビデオ信号をバッファリングするように動作するメモリーと、前記バッファリングされたビデオ信号を前記メモリーから前記ディスプレイ装置に転送するように動作する通信モジュールと、制御部として前記メディア再生部が前記メディアのローディング処理を行うか否かを判断し、前記メディア再生部が前記メディアのローディング処理を行う場合、前記メディア再生部から出力されたビデオ信号をダウンスケーリングし、前記ダウンスケーリングされたビデオ信号を出力するように前記ダウンスケーラーを制御し、前記ダウンスケーラーから受信された前記ダウンスケーリングされたビデオ信号をバッファリングするように前記メモリーを制御し、前記バッファリングされたビデオ信号を前記メモリーから前記ディスプレイ装置に転送するように前記通信モジュールを制御する制御部と、を含む。
【００１９】
ここで、前記制御部は、前記メディアのローディング処理が完了したか否かを更に判断し、前記メディアのローディング処理が完了した場合、前記バッファリングされたビデオ信号を前記メモリーから前記ディスプレイ装置に転送することを中止するように、前記通信モジュールを制御することができる。
【００２０】
前記制御部は、前記メディア再生装置と前記ディスプレイ装置との間のＨＤＭＩ接続をモニターすることで、前記メディア再生部が前記メディアのローディング処理を行うか否かを判断することができる。
【００２１】
前記バッファリングされたビデオ信号を前記ディスプレイ装置に転送することは、前記バッファリングされたビデオ信号を、ＨＤＭＩ接続を介して前記ディスプレイ装置に転送することを含むことができる。
【００２２】
前記ＨＤＭＩ接続は、イーサネット（登録商標）チャネルを含むことができる。
【００２３】
前記第１の入力ソースは、ブルーレイ再生装置及びＤＶＤ再生装置のうちの一つでも良い。
【００２４】
一方、本発明の一実施例に係る、ＨＤＭＩ接続を介して第１の入力ソースと通信するビデオディスプレイ装置として、前記ＨＤＭＩ接続はイーサネット（登録商標）チャネルを含むビデオディスプレイ装置は、ディスプレイスクリーンと、前記第１の入力ソースから前記ＨＤＭＩ接続のイーサネット（登録商標）チャネルを介してダウンスケーリングされたビデオ信号を受信するように動作する通信モジュールと、第２の入力ソースから入力されたビデオ信号を受信するように動作する入力モジュールと、制御部として前記制御部が前記通信モジュールから前記ダウンスケーリングされたビデオ信号を受信した場合、前記ディスプレイスクリーン上のサブウィンドウに、前記ダウンスケーリングされたビデオ信号をディスプレイするように、前記ディスプレイスクリーンを制御し、前記第２の入力ソースから受信された前記入力ビデオ信号を、前記ディスプレイスクリーン上のメインウィンドウにディスプレイするように、前記ディスプレイスクリーンを制御する制御部と、を含む。
【００２５】
前記制御部は、更に第１の制御信号が前記ＨＤＭＩ接続を介して、前記第１の入力ソースから受信されたか否かを判断し、前記第１の制御信号は前記第１の入力ソースがメディアのローディング処理を行うことを示すことができる。
【００２６】
前記制御部が、前記制御信号が前記第１の入力ソースから前記ＨＤＭＩ接続を介して受信されたと判断した場合、前記制御部は第２の制御信号を前記ＨＤＭＩ接続を介して前記第１の入力ソースに送信し、ここで、前記第２の制御信号は前記ダウンスケーリングされたビデオ信号を、前記第１の入力ソースから前記ビデオディスプレイ装置に、前記ＨＤＭＩ接続のイーサネット（登録商標）チャネルを介して転送するように、前記第１の入力ソースを制御することができる。
【発明の効果】
【００２７】
以上説明したように、複数の入力ソースからのビデオ信号をディスプレイできるようになる。
【図面の簡単な説明】
【００２８】
【図１】本発明の一実施例に係るメディア再生装置とディスプレイ装置との例を示した図である。
【図２】本発明の一実施例に係る動作の例を示した図である。
【図３】本発明の一実施例に係る動作の例を示した図である。
【図４】本発明の一実施例に係る別の動作の例を示した図である。
【図５】本発明の一実施例に係る別の動作の例を示した図である。
【図６】本発明の一実施例に係る別の動作の例を示した図である。
【図７】本発明の一実施例に係るメディア再生装置の例を示した図である。
【図８】本発明の一実施例に係るディスプレイ装置の例を示した図である。
【図９Ａ】本発明の一実施例に係るシグナリングダイアグラムの例を示した図である。
【図９Ｂ】本発明の一実施例に係る別のシグナリングダイアグラムの別の例を示した図である。
【発明を実施するための形態】
【００２９】
以下で、添付図面を参照しながら、本発明について詳細に説明する。
【００３０】
最近、ＨＤＭＩ規格（例えば、バージョン１.４として、本明細書のリファレンスとして含まれた公式に利用可能な規格）は、ＨＤＭＩ接続装置間のイーサネット（登録商標）（Ｅｔｈｅｒｎｅｔ（登録商標））接続を許容するイーサネット（登録商標）チャネルを統合するように変更されてきた。
【００３１】
典型的に、ＤＶＤ又はＢＤのようなメディアは、一つのメインビデオ（無論、チャプターと或る他の一部分として分離されることができる）を含むだろう。ところが、メディアは、更に典型的にメインビデオの他にも、多くの短いビデオセグメントを含む。メディアの物理的ローディングの間、メディア再生装置によって出力されるメディア上の特定のビデオセグメントが存在し得る。例えば、ローディング処理は、著作権の警告メッセージ又は「メディアローディング中（ＬＯＡＤＩＮＧ  ＭＥＤＩＵＭ）」のようなメッセージ等を出力することを含むことができる。しかし、ここで使うように、「ローディング処理」という用語は、メディア再生装置によってメディアの物理的ローディングの間ビデオ信号を出力すること以上のものを含むことができる。例えば、ローディング処理は、メインビデオを始める導入セグメント、ロゴ、スクリーンセーバー、他に利用可能な映画／ビデオに対するプレビュー又はトレーラー、広告等を出力することをも含むことができる。従って、ここで使われる「ローディング処理」という用語は、このような種類の全ての可能性を広範囲にわたって含むことを意味する。
【００３２】
尚、ここで使われる「イーサネット（登録商標）」という用語は、多用なＩＥＥＥ８０２.３ｘイーサネット（登録商標）関連の標準で定義された全ての他の種類のイーサネット（登録商標）（例えば、１０Ｍｂｉｔ／ｓイーサネット（登録商標）、ファストイーサネット（登録商標）、ギガビットイーサネット（登録商標）、１０−ギガビットイーサネット（登録商標）、１００−ギガビットイーサネット（登録商標）等）を含むことに留意すべきである。尚、公式のイーサネット（登録商標）の標準ＩＥＥＥ８０２.３ｘは、本明細書のリファレンスとして含まれる。従って、ＨＤＭＩ１.４が現在、１００Ｍｂ／Ｓイーサネット（登録商標）接続のための規定を含むことはできるが、ＨＤＭＩの将来バージョンは、ＩＥＥＥ８０２.３ｘ下の他のイーサネット（登録商標）バージョン、又はそれに関する８０２.１１ｘ標準化の無線通信に対する規定を含むことができる。
【００３３】
例えば、ディスプレイ装置は無線装置（例えば、無線インターネットルーター）と通信する８０２.１１ｘ無線ポートと、外部ＨＤＭＩ−ｒｅａｄｙ装置に接続されるＨＤＭＩポートを含むことができる。従って、ここに述べられた実施例は、イーサネット（登録商標）通信及びＨＤＭＩ１.４を含むものの、本発明の一般の概念は、必ずしもそれに限られたものではない。当業者なら、本発明が他のネットワーキング標準に同等に適用されることができると理解するだろう。
【００３４】
ここで使われる「メディア」という用語は、主にＤＶＤ及びＢＤメディアに関連して使われる。しかし、本発明がこれらの特定標準に限られるものではない。当業者なら、本発明が他のメディア保存フォーマットにも同等に適用されることができると理解するだろう。
【００３５】
本発明の一実施例に係るメディア再生装置及びビデオディスプレイ装置が図１に示されている。図１に示されているように、本発明の一実施例は、ＨＤＭＩ１.４接続１２０を介して接続されたディスプレイ装置１１０に接続されたメディア再生装置１００を含む。前述したように、前記ＨＤＭＩ１.４接続は、ＨＤＭＩイーサネット（登録商標）チャネル（ＨＤＭＩ  Ｅｔｈｅｒｎｅｔ（登録商標）  Ｃｈａｎｎｅｌ：ＨＥＣ）１２３を含む。ＨＤＭＩ接続１２０は、更にＨＤビデオ及びオーディオデータの一般転送のためのＴＭＤＳチャネル１２１と、ＣＥＣ（Ｃｏｎｓｕｍｅｒ  Ｅｌｅｃｔｒｏｎｉｃｓ  Ｃｏｎｔｒｏｌ）チャネル１２２を含む。
【００３６】
本発明の一実施例によると、ユーザはメディア再生装置から出力されたビデオ信号をダウンスケーリングするように、メディア再生装置を制御し、ビデオ信号の解像度を減少させ、従ってＨＤＭＩ接続１２０を介してディスプレイ装置１００に転送すべきデータの量を減少させる。一般的に、ＨＤビデオ信号は、ＨＤＭＩ１２０のＴＭＤＳチャネル１２１を介してメディア再生装置１００からディスプレイ装置１１０に転送される。しかし、ユーザは、ディスプレイ装置１１０にｆｕｌｌ  ＨＤでメディア再生装置１００から出力されたビデオ信号の視聴を望まない場合がある。
【００３７】
例えば、ユーザがＤＶＤ又はＢＤのようなメディアをメディア再生装置１００に挿入する際に、メディア再生装置１００は多分、ユーザが視聴しようとするメインビデオを再生する前に、メディアをローディングするためのローディング処理をまず実行するだろう。この時、ユーザはディスプレイ装置１１０を別の目的で、例えば、放送信号、又はメディア再生装置１００の以外の或る別のソースからのビデオ信号をディスプレイする等に、ディスプレイ装置１１０を使おうとする場合もあり得る。
【００３８】
尚、ユーザは、メディア再生装置１００から出力されたビデオ信号をディスプレイ装置１１０上のメインウィンドウでの視聴から、ディスプレイ装置１１０上のサブウィンドウでの視聴に切り替えようとする場合もあり得る。そのような場合に、ユーザはメディア再生装置１００から出力されたビデオ信号をディスプレイ装置１１０において、ＨＤで映さないことを選択することで、ディスプレイ装置１１０によるリソースの使用を最小限化しようとする場合もあり得る。
【００３９】
本発明の一実施例は、メディア再生装置１００から出力されたＨＤビデオ信号をダウンスケーリングするために、ダウンスケーラー１０１を用いる。ダウンスケーリングされたビデオ信号は、以後にダウンスケーリングされたビデオフレームの全体をディスプレイ装置１１０に転送するために、フレームメモリー１０２にバッファリングされる。ビデオ信号がダウンスケーリングされるため、ＨＤＭＩ接続１２０のＨＥＣチャネル１２３は、ダウンスケーリングされたビデオ信号のフレームをディスプレイ装置１１０に送信するために使われることができる。結果的に、メディア再生装置１００は、ＨＤビデオ信号をＨＤＭＩ接続１２０のＴＭＤＳチャネル１２１を介して、ディスプレイ装置１１０に送信することを中止することができる。
【００４０】
ダウンスケーリングされたビデオ信号を、メディア再生装置１００からディスプレイ装置１１０に転送するためにＨＥＣチャネルを使うことで、ユーザはメディア再生装置及びディスプレイ装置の両方のリソースを節約することができる。例えば、ディスプレイ装置は、ＨＤビデオ信号を処理するだけの処理電力を消費する必要がない。同様に、再生装置は、ＨＤＭＩ接続１２０のＴＭＤＳチャネル１２１を介しての転送のためのビデオ信号を処理する必要がない。尚、メディア再生装置１００とディスプレイ装置１００との間のＨＥＣチャネル１２３を介して、単一信号を通信するために要求されるシグナリングが少なくなるため、ＴＭＤＳチャネル１２１を介して普通に転送された多数の信号がダウンスケーリングされたビデオ信号を転送する必要がなく、電力を節約することが可能である。
【００４１】
図１のメディア再生装置１００が、ダウンスケーラー１０１とフレームメモリー１０２とを含むが、当業者なら、この構成要素が別の装置に、容易に設置されることができることに留意すべきである。
【００４２】
図２には、メインウィンドウ２１０とサブウィンドウ２２０とを持つディスプレイ装置のディスプレイスクリーン２００を示した。ユーザは、メディア再生装置から出力されたビデオ信号をダウンスケーリングすることにより、メディア再生装置から出力されたビデオ信号をサブウィンドウ２２０にディスプレイするオプションを選択することができる。同時に、ユーザは、別のソース（図示せず）からのビデオ信号をディスプレイするために、ディスプレイスクリーン２００のメインウィンドウ２１０を活用することができる。その後、ユーザは全体のディスプレイスクリーン２００を占めるように、メディア再生装置から送信された、ダウンスケーリングされたビデオ信号を最大化したり、又はウィンドウを別のソースのディスプレイされたビデオ信号に切り替えたり、即ち、ディスプレイされたビデオ信号をサブウィンドウ２２０からメインウィンドウ２１０に、又はその逆に移動させることができる。何れの場合でも、メディア再生装置は、メディア再生装置から出力されたビデオ信号をダウンスケーリングすることを中止し、ＨＤＭＩ接続のＴＭＤＳチャネルを介してＨＤビデオ信号の転送を始めるように命令されることができる。
【００４３】
ここで使われる「メインウィンドウ」という用語が、本来図２に示されたような最大化されたウィンドウ２１０、又はディスプレイスクリーン２００に関して最大化されなかったものの、ビデオ信号をＨＤに単にディスプレイする（ダウンスケーリングされたビデオ信号をサブウィンドウ２２０にディスプレイするのとは違って）ウィンドウを含むことができる。
【００４４】
尚、図２には、単に一つのサブウィンドウ２２０を示したが、ディスプレイ装置は多数のサブウィンドウを、例えば、ダウンスケーリングされたビデオ信号をディスプレイ装置に出力する多数の入力ソースからの多数のサブウィンドウを容易に表示することができる。尚、ディスプレイ装置そのものが、メディア再生装置からディスプレイ装置に出力されたダウンスケーリングされたビデオ信号（即ち、サブウィンドウ２２０にディスプレイされた）と同時に、多数のサブウィンドウをディスプレイするための代案の入力信号をダウンスケーリングできるダウンスケーラーを含むことができる。
【００４５】
図３は、本発明の一実施例に係る動作を示す。ステップＳ３０１で、メディア再生装置のメディアがローディング中であるか否かについての判断がなされる。メディア再生装置のメディアがローディング中であると判断されると（Ｓ３０１−Ｙ）、メディア再生装置から出力されたビデオ信号はダウンスケーリングされる（Ｓ３０２）。ローディング処理中でないと判断されると、処理は再び始まることができる（Ｓ３０１−Ｎ）。ステップＳ３０２でメディア再生装置から出力されたビデオ信号がダウンスケーリングされると、ダウンスケーリングされたビデオ信号は、ディスプレイ装置に転送されてディスプレイスクリーン上のサブウィンドウにディスプレイされる（Ｓ３０３）。一方、ディスプレイ装置は、別のソースからのビデオ信号（例えば、放送信号、代替ＨＤＭＩソース等）をディスプレイスクリーンのメインウィンドウにディスプレイするように構成されることができる（Ｓ３０４）。
【００４６】
図４は、本発明の一実施例に係る別の動作を示す。ステップＳ４０１で、メディアローディング処理が完了したか否かについての判断がなされる。例えば、ＢＤ又はＤＶＤは、自らの導入セグメント又はＦＢＩ警告等を完了することができる。この時、ユーザはメディア再生装置から出力されたビデオ信号を、ディスプレイスクリーンのメインウィンドウに表示するように決定することができる。従って、ユーザがメディア再生装置から出力されたビデオ信号を、ディスプレイスクリーン（図示せず）上のメインウィンドウにディスプレイするために、制御信号を送信したか否かを判断する追加的なステップが含まれることができる。ローディング処理が完了したと判断されると（Ｓ４０１−Ｙ）、メディア再生装置（即ち、図４での「第１のソース」）から出力されたビデオ信号がダウンスケーリングされる（Ｓ４０２）。ローディング処理が完了していないと判断されると、処理が再び始まることができる（Ｓ４０１−Ｎ）。ステップＳ４０２で、ディスプレイスクリーンはメディア再生装置から出力されたビデオ信号を、ディスプレイスクリーン上のメインウィンドウにディスプレイし始める。尚、サブウィンドウのディスプレイは終了されることができる（Ｓ４０３）。
【００４７】
サブウィンドウをディスプレイすることの終了が、メディア再生装置におけるダウンスケーリング動作の終了に先行することも、同時に行われることも、又は後続することもあり得ることに留意すべきである。尚、ステップＳ４０２で、メディア再生装置からのビデオ信号をメインウィンドウにディスプレイすることは、ディスプレイスクリーンが、ディスプレイ再生装置からディスプレイ装置にＨＤＭＩ接続のＴＭＤＳチャネルを介して転送される、メディア再生装置からのビデオ信号をＨＤでディスプレイし始めることを意味することができる。
【００４８】
サブウィンドウをディスプレイすることが、終了される必要はないということに留意すべきである。例えば、ユーザは単にサブウィンドウにディスプレイされているビデオ信号を、メインウィンドウにディスプレイされているビデオ信号に切り替えようとする場合もあり得る。この場合、メディア再生装置は、ＨＤビデオ信号をＨＤＭＩ接続のＴＭＤＳチャネルを介してディスプレイ装置に単に転送し始める場合もあり得る。その後、ディスプレイ装置は、サブウィンドウに別のものをディスプレイするように動作することも、又はおそらくメディア再生装置からのＨＤビデオ信号と同時にメディア再生装置からのダウンスケーリングされたビデオ信号をディスプレイし続けることもあり得る。
【００４９】
図５には、本発明の一実施例に係る別の動作を示した。ステップＳ５０１で、サブウィンドウがユーザによって選択されたか否かについての判断がなされる。サブウィンドウがユーザによって選択された場合（Ｓ５０１−Ｙ）、サブウィンドウをディスプレイすることは終了されることができ、ディスプレイスクリーンは、メディア再生装置からのビデオをメインウィンドウにディスプレイすることができる（Ｓ５０２）。
【００５０】
尚、サブウィンドウをディスプレイすることの終了は、メディア再生装置でダウンスケーリング動作の終了に先行したり、同時に行われたり、又は後続することができる。尚、ステップＳ５０２でメディア再生装置からのビデオ信号をメインウィンドウにディスプレイすることは、ディスプレイスクリーンが、メディア再生装置からディスプレイ装置に、ＨＤＭＩ接続のＴＭＤＳチャネルを介して転送されることのできる、メディア再生装置からのビデオ信号をＨＤでディスプレイし始めることを意味することができる。
【００５１】
図６は、本発明の一実施例に係る別の動作を示す。ステップＳ６０１で、メディア再生装置からのビデオ信号のダウンスケーリングを始めさせるための指示が受信されたか否かについての判断がなされる。ダウンスケーリングを始めよという指示が受信された場合（Ｓ６０１−Ｙ）、メディア再生装置（即ち、代替ソース）からのビデオが、ダウンスケーリングされてＨＤＭＩ接続のイーサネット（登録商標）チャネルを介してディスプレイ装置に転送される（Ｓ６０３）。その後、ディスプレイ装置はメイン入力ソースからのビデオ信号をメインウィンドウにディスプレイし（Ｓ６０４）、そして、メディア再生装置から受信された、ダウンスケーリングされたビデオ信号をディスプレイスクリーン上のサブウィンドウにディスプレイする（Ｓ６０５）。
【００５２】
「第１のソース」、「代替ソース」、及び「メディア再生装置」という用語は、ここで交替可能であるように使われたが、本発明が特定の類型のメディア再生装置に限られたものでないことに留意すべきである。尚、前述したように、ここに述べられた実施例は、ビデオ信号ソース及びディスプレイ装置間にＨＤＭＩ１.４接続のイーサネット（登録商標）チャネルを使ったが、本発明はビデオ信号ソース及びディスプレイ装置間の接続のための或る特定の通信標準に限られたものではない。一般的、本発明はビデオ信号ソース及びディスプレイ装置間の接続を活用することで、ＨＤビデオ信号がダウンスケーリングされ、（ＨＤ信号を転送するために必要になり得る一般的な（複数の）通信チャネルに対して）低帯域タイプの通信チャネルを介して転送されることができる。
【００５３】
図７は、本発明の一実施例に係るメディア再生装置７００を示す。メディア再生装置７００は、ユーザがメディアをローディングすることのできるメディアローディング／再生部７０１を含み、ここで、ローディング処理が始まり、そこから再生処理が行われることができる。メディア再生装置７００は、メディアローディング／再生部７０１からのビデオ信号をダウンスケーリングするダウンスケーラー７０２を更に含む。ダウンスケーラー７０２は、通信モジュール７０３を介してディスプレイ装置に簡単に転送できるように、ダウンスケーリングされたビデオ信号のフレームがバッファリングされるメモリー７０４に、ダウンスケーリングされたビデオ信号を出力する。制御部７０５は、ダウンスケーリングされたビデオ信号の出力をもたらす動作の相互作用及びフローを制御する。
【００５４】
尚、図７は、代替ソース入力モジュール７０６を含む。これは、代替入力ソースがビデオ信号をメディア再生装置７００（例えば、ＨＤＭＩ接続を介して）に転送することを許容する。代替入力ソースからのビデオ信号は前記ダウンスケーラー７０２によってダウンスケーリングされ、前記メモリー７０４でバッファリングされ、通信モジュール７０３を介してディスプレイ装置に転送されるように出力されることができる。
【００５５】
図８は、多様な入力ソース及び通信モジュールからのビデオ信号を収容できる入力モジュール８０２を持つディスプレイ装置８００を示す。
【００５６】
図７及び図８は、理解を促すために単純化されたものであることに留意すべきである。例えば、図７及び図８の接続は、上述した多様な構成要素間で成されたものとして示されたが、これは単に、説明の便宜のために用いられる。当業者なら、内部信号を制御部及び／又はマスターデータバス等を介して転送することが可能であることを理解するだろう。同様に、当業者なら、別の構成要素（例えば、ビデオ及びオーディオプロセッサ、遠隔制御通信モジュール等）が図７及び／又は図８に容易に挿入されることができ、類似の構成要素（例えば、図８の通信モジュール８０１及び入力モジュール８０２）が結合されることもできるということが認識できるだろう。尚、全ての図に示された例は、限られたものを意味するのではなく、むしろ各実施例の単純化された図を提供することで、単に理解を促すためのものである。
【００５７】
尚、上述の多様な実施例で、ユーザはディスプレイ装置への転送のために、メディア再生装置から出力されたビデオ信号をダウンスケーリングすることを選択するオプションを持つものとして説明されたことに留意すべきである。ユーザは、例えば、遠隔制御を用いてそのような選択をすることができる。だが、選択はまた、自動的になされることができる。
【００５８】
例えば、ローディング処理の間、ローディング処理が開始、処理中、及び／又は完了したという判断がなされることができる。当業者なら、そのような判断がメディア上のデータ分析そのものに基づいて、なされることができるということを理解するだろう。例えば、メディア上のビデオセグメント間の変異ポイントが、或る唯一のデータ識別者の存在（又は不在）によって表示されることができる。上述したように、ＨＤＭＩ接続は接続された装置間の制御信号を送信／受信するために用いられることのできるＣＥＣチャネルを含む。本発明の一実施例によると、ＣＥＣチャネルはダウンスケーリングされたビデオ信号をディスプレイ装置に出力することをシグナリングする信号を、メディア再生装置からディスプレイ装置に送信するために用いることができる。同様に、ＣＥＣチャネルはダウンスケーリング（及びダウンスケーリングされた信号の出力）を始めるための命令をシグナリングする信号を、ディスプレイ装置からメディア再生装置に転送するために用いることができる。ユーザは、ダウンスケーリング（及びメディア再生装置及びディスプレイ装置、各々によるダウンスケーリングされた信号の出力及びディスプレイ）を開始、及び／又は終了するための命令を始めるように、或る一つの装置を適切に制御することができる。
【００５９】
ＨＥＣチャネルは、メディア再生装置とディスプレイ装置との間の制御シグナリングのために、使われることができることに留意すべきである。ＨＥＣ及びＣＥＣチャネルの両方は、両方向通信が可能である。結果的に、或る一つのチャネルが、メディア再生装置及びディスプレイ装置間の制御信号を通信するために用いられることができる。ＨＥＣチャネルが、ダウンスケーリングされたビデオ信号の制御シグナリング及び転送両方のために用いられるとしたら、ダウンスケーリングされたビデオ信号を制御信号にマルチプレクシングする必要がある。当業者なら、そのような場合に、追加的な回路及び／又はプログラミングは、何れかの一端又は両端に要求されることができることを理解するだろう。
【００６０】
代案として、全体の制御処理はメディア再生装置及び／又はディスプレイ装置で自動化されることができる。例えば、メディア再生装置は、メディアが先ずメディア再生装置に装着された後、時間的にどの時点で、そして、ローディング処理がその後に行われる所定の期間の間、ダウンスケーリングを始めるように、プログラミングされることができる（又は、例えば、ユーザ又はディスプレイ装置によって命令されることができる）。同様に、ダウンスケーリング処理は、所定の期間の後に、中止するようにプログラミングされることができる。当業者なら、このようなプログラミング制御が、一端又は両端で可能であることを理解するだろう。無論、そのような所定の動作時間は、ユーザの個人の好みのよって、ユーザによって調節可能である。
【００６１】
尚、本発明の一実施例によると、ＨＤＭＩ接続は、ＤＤＣ（Ｄｉｓｐｌａｙ  Ｄａｔａ  Ｃｈａｎｎｅｌ）チャネル、ＥＤＩＤ（Ｅｘｔｅｎｄｅｄ  ｄｉｓｐｌａｙ  ｉｄｅｎｔｉｆｉｃａｔｉｏｎ  ｄａｔａ）、Ｅ−ＤＤＣ（Ｅｎｈａｎｃｅｄ  Ｄｉｓｐｌａｙ  Ｄａｔａ  Ｃｈａｎｎｅｌ）、及び／又はＩｎｆｏｆｒａｍｅ情報を含むことができる。或るＨＤＭＩ  Ｉｎｆｏｆｒａｍｅプロトコルは、例えば、ＡＶＩ（Ａｕｘｉｌｉａｒｙ  Ｖｉｄｅｏ  Ｉｎｆｏｒｍａｔｉｏｎ）Ｉｎｆｏｆｒａｍｅ及びＶｅｎｄｏｒ  Ｓｐｅｃｉｆｉｃ  Ｉｎｆｏｆｒａｍｅをディスプレイ装置（例えば、テレビ）に転送することができる。即ち、或るＩｎｆｏｆｒａｍｅプロトコルを用いることで、情報はメディア再生装置からディスプレイ装置に転送されることができる。この場合に、メディア上のビデオコンテンツに関連した制御情報のためのチャネルとして、Ｉｎｆｏｆｒａｍｅ情報を用いることが可能である。尚、ＥＤＩＤデータ構造は、ディスプレイ装置がメディア再生装置に自分の特定仕様（Ｃａｐａｂｉｌｉｔｙ）を記述することを許容できる特定ディスプレイ装置に特定の情報を含むことができる。
【００６２】
図９Ａは、本発明の一実施例に係るシグナリングダイアグラムを示す。ステップＳ９００で、メディア再生装置はローディン処理の開始を報知する信号をディスプレイ装置に送信する。その後、ステップＳ９０１で、メディア再生装置は、ダウンスケーリングされたビデオ信号をディスプレイ装置に転送することができる。メディアのローディングが完了すると、メディア再生装置は、ローディングが完了したことを報知する信号をディスプレイ装置に転送することができる（Ｓ９０２）。その後、メディア再生装置は、ＨＤビデオ信号をディスプレイ装置に転送することができる（Ｓ９０３）。
【００６３】
追加的なステップが、前記処理で可能であることに留意すべきである。図９Ｂは、この追加的な可能性のいくつかの例を示している。ステップＳ９２０で、ディスプレイ装置は、ダウンスケーリングされたビデオ信号の転送を要求する信号をメディア再生装置に送信する。応答として、ステップＳ９２１で、メディア再生装置は、ダウンスケーリングされたビデオ信号をディスプレイ装置に転送する。同様に、ディスプレイ装置は更に、ＨＤビデオ信号の転送を要求する要求信号をメディア再生装置に送信することができ（Ｓ９２２）、それに従って、メディア再生装置はＨＤビデオ信号のディスプレイ装置への転送を始めることができる（Ｓ９２３）。当業者なら、そのような制御シグナリングが、図９Ａに示された単純化されたシグナリングダイアグラムに容易に統合されることができることを理解するだろう。
【００６４】
尚、或る信号が必要でない場合もあり得る。例えば、ローディングの完了を示す信号（図９ＡでのＳ９０２）は、システムがメディア再生装置からのＨＤビデオ信号の転送に対するディスプレイ装置による要求（図９ＢでのステップＳ９２２）に応答するように考案された場合に、必要でないかもしれない。尚、前述したように、ユーザはメディア再生装置、及び／又はディスプレイ装置に命令するために、遠隔制御（又は制御パネルを介して）を活用することができる。従って、ユーザは単純に、ダウンスケーリングされた（複数の）ＨＤビデオ信号を転送／受信することを、開始／終了するために、メディア再生装置／ディスプレイ装置に命令を発することができる。
【００６５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例又は修正例に想到し得ることは明らかであり、これらについても、当然に本発明の技術的範囲に属するものと了解される。
【符号の説明】
【００６６】
１００    メディア再生装置
１０１    ダウンスケーラー
１０２    フレームメモリー
１１０    ディスプレイ装置
１２０    ＨＤＭＩ１.４接続
１２１    ＴＭＤＳチャネル
１２２    ＣＥＣチャネル
１２３    ＨＤＭＩイーサネット（登録商標）チャネル
２００    ディスプレイスクリーン
２１０    メインウィンドウ
２２０    サブウィンドウ
７００    メディア再生装置
７０１    メディアローディング／再生部
７０２    ダウンスケーラー
７０３    通信モジュール
７０４    メモリー
７０５    制御部
７０６    代替ソース入力モジュール
８００    ディスプレイ装置
８０１    通信モジュール
８０２    入力モジュール
８０３    ディスプレイスクリーン
８０４    制御部
【図１】
2011071984.tif 000003
【図２】
2011071984.tif 000004
【図３】
2011071984.tif 000005
【図４】
2011071984.tif 000006
【図５】
2011071984.tif 000007
【図６】
2011071984.tif 000008
【図７】
2011071984.tif 000009
【図８】
2011071984.tif 000010
【図９Ａ】
2011071984.tif 000011
【図９Ｂ】
2011071984.tif 000012